(57)【要約】【課題】操作部材の操作に伴い目的のスイッチ以外のスイッチが不用意に操作されたときに目的以外のスイッチの作動信号を無効にして誤操作を防止した電子機器およびその制御方法を提供する。【解決手段】作動検知部１５２が第２のスイッチ１３４Ａ〜１３４Ｄの作動を検知すると、制御部１５４が第１のスイッチ１３３の作動信号が無効になるように信号処理部１５３を制御する構成にし、操作部材１３１の傾斜操作により第２のスイッチ１３４Ａ〜１３４Ｄが作動されているときに第１スイッチ１３３が不用意に操作されても、その作動信号を無効にする。【選択図】      図５
2007052577.tif 000002
【特許請求の範囲】
【請求項１】
操作部材と、
前記操作部材が操作されることで作動する第１のスイッチと、
前記操作部材が操作されることで作動する第２のスイッチと、
前記第２のスイッチが作動したか否かを検知する作動検知手段と、
前記作動検知手段が前記第２のスイッチの作動を検知したときは前記第１のスイッチが作動されても該第１のスイッチの作動信号を無効にする制御手段と、
を備えることを特徴とする電子機器。
【請求項２】
前記第２のスイッチは、前記第１のスイッチが作動する前記操作部材の操作方向とは異なった方向に前記操作部材が操作されることで作動されることを特徴とする請求項１記載の電子機器。
【請求項３】
前記操作部材を押圧可能に支持するとともに前記押圧される方向を中心にして外側方向へ傾斜動可能に支持する支持手段を有し、前記第１のスイッチは１つ設けられ、前記第２のスイッチは複数個設けられ、前記第１のスイッチの作動は前記操作部材が押圧操作されることでなされ、前記各第２のスイッチの作動は前記操作部材が傾斜操作されることでなされることを特徴とする請求項１記載の電子機器。
【請求項４】
前記電子機器は外装を構成するハウジングを備え、前記操作部材、前記支持手段及び前記第１、第２のスイッチは前記ハウジングに収容され、前記操作部材は、前記支持手段に押圧可能にかつ傾斜動可能に支持され前記ハウジングの内側に配置されたステムと、前記ステムの先端に設けられた押圧片を有し、前記ステムの先端が臨む前記ハウジングの箇所に開口が形成され、前記押圧片は前記開口を塞ぐ大きさで形成されていることを特徴とする請求項３記載の電子機器。
【請求項５】
前記ハウジングは細長形状を呈して長手方向を有し、前記ハウジングは前記長手方向に沿って平面状に延在する領域と、前記領域の端部に連なり湾曲面状に延在する領域とを有し、前記平面状に延在する領域に所定の情報を表示する表示面が設けられ、前記開口は、前記湾曲面状に延在する領域に設けられていることを特徴とする請求項４記載の電子機器。
【請求項６】
前記押圧片は、前記開口の周りの前記ハウジングの表面形状に一致する湾曲面で形成されていることを特徴とする請求項５記載の電子機器。
【請求項７】
操作部材と、前記操作部材が操作されることで作動する第１のスイッチと、前記操作部材が前記操作される方向とは異なった方向に操作されることで作動する第２のスイッチとを有する電子機器の制御方法であって、
前記第２のスイッチが作動したか否かを検知する第１のステップと、
前記第１のステップにおいて前記第２のスイッチの作動が検知されたときは前記第１のスイッチが作動されても該第１のスイッチの作動信号を無効にする第２のステップと、
を含むことを特徴とする電子機器の制御方法。
【発明の詳細な説明】
【技術分野】
【０００１】
本発明は、操作部材で複数のスイッチを選択的に作動させるようにした電子機器及びその制御方法に関し、特に操作部材により目的のスイッチ以外のスイッチが不用意に操作されたときに目的以外のスイッチの作動信号を無効にするようにした電子機器及びその制御方法に関する。
【背景技術】
【０００２】
近年の電子機器、特にオーディオ再生装置は、オーディオデータの記録に半導体メモリを用いることに伴い手の中に包み込み状態で把持できる程度の大きさまで小型化されるようになってきている。また、このようなオーディオ再生装置には、複数のスイッチを操作部材により選択的にオンオフ操作する多方向スイッチが使用されている。
【０００３】
オーディオ再生装置に適用される多方向スイッチは、複数のスイッチと、これらスイッチを作動させる操作部材とを備えている。
前記操作部材は、支持機構によって押圧可能に支持されているとともに、この押圧される方向を中心にして、例えば０度（＝３６０度）、９０度、１８０度及び２７０度の角度位置で外側方向へ傾斜動可能に支持されている。また、前記支持機構は、操作部材に対する押圧操作力または傾斜操作力を解除したときに操作部材を中立姿勢（操作部材が何れのスイッチも作動させない姿勢）に自動的に復帰できる構成になっている。
【０００４】
前記操作部材が押圧操作されるごとに作動を繰り返すスイッチ、例えばオーディオ再生装置のプレー／ストップ用スイッチが操作部材に対向して配設され、さらに、０度、９０度、１８０度及び２７０度の角度位置に対応する箇所には、これらの各角度位置で操作部材が傾斜動作されたときに作動するスイッチがそれぞれ配設されている。例えば０度の角度位置に対応する箇所には、オーディオ再生装置の早戻し（曲戻し）用のスイッチが配設され、１８０度の角度位置に対応する箇所には、オーディオ再生装置の早送り（曲送り）用のスイッチが配設され、また、９０度の角度位置に対応する箇所には、オーディオ再生装置の音量を増大させる方向の信号を出力するスイッチが配設され、２７０度の角度位置に対応する箇所には、オーディオ再生装置の音量を減少させる方向の信号を出力するスイッチが配設されている（特許文献１参照）。
【特許文献１】特開平１１−３１２４４２号公報
【発明の開示】
【発明が解決しようとする課題】
【０００５】
ところで、オーディオ再生装置の小型化に伴い、これに適用される多方向スイッチの構成部品も小型化される。この場合、小型化されたスイッチ操作部材の形状は棒状を呈しており、このような多方向スイッチをオーディオ再生装置のハウジング内に組み込んだ状態でハウジングの外側から操作するには、前記棒状操作部材の先端部分をハウジングから外方へ突出させて親指等の指先が押し当てられ易い状態にする必要がある。
このような場合、操作部材の操作を容易にするためにその先端部分のハウジング外への突出量を大きくすると、不用意な外力の影響を受け易くなってオーディオ再生装置が誤操作され易くなるという問題がある。
【０００６】
また、上述のような不用意な外力の影響を受けにくくするために棒状操作部材の先端がハウジングの外表面と一致する箇所にまたはハウジングの内部に位置する箇所になるように操作部材を構成した場合には、操作部材の操作性が悪くなるとともに操作部材を傾斜操作したときに押圧操作も同時に行われてしまう場合が往々に発生する。
例えば、操作部材の押圧操作でオーディオ再生装置がプレーモードにあるとき、その再生音量を上げるために操作部材を傾斜操作したにも拘らず押圧操作も安易に行われてしまう。その結果、プレーモード中のオーディオ再生装置が突然に停止されてしまうという不具合がある。このような不具合は、オーディオ再生装置の早戻し（曲戻し）または早送り（曲送り）操作時にも発生する。
【０００７】
本発明は、このような事情に鑑みなされたものであり、その目的は、操作部材の操作に伴い目的のスイッチ以外のスイッチが不用意に作動したときに目的以外のスイッチの作動信号を無効にすることで誤操作を防止した電子機器及びその制御方法を提供することにある。
【課題を解決するための手段】
【０００８】
上記目的を達成するために本発明の電子機器は、操作部材と、前記操作部材が操作されることで作動する第１のスイッチと、前記操作部材が操作されることで作動する第２のスイッチと、前記第２のスイッチが作動したか否かを検知する作動検知手段と、前記作動検知手段が前記第２のスイッチの作動を検知したときは前記第１のスイッチが作動されても該第１のスイッチの作動信号を無効にする制御手段とを備えることを特徴とする。
また、本発明の電子機器の制御方法は、操作部材と、前記操作部材が操作されることで作動する第１のスイッチと、前記操作部材が前記操作される方向とは異なった方向に操作されることで作動する第２のスイッチとを有する電子機器の制御方法であって、前記第２のスイッチが作動したか否かを検知する第１のステップと、前記第１のステップにおいて前記第２のスイッチの作動が検知されたときは前記第１のスイッチが作動されても該第１のスイッチの作動信号を無効にする第２のステップとを含むことを特徴とする。
【発明の効果】
【０００９】
本発明によれば、作動検知手段が第２のスイッチの作動を検知すると制御手段が第１のスイッチの作動信号を無効にするように制御する。これにより、操作部材の操作に伴い第２のスイッチ以外の第１スイッチが不用意に操作されても、その作動信号が出力されることがなく、電子機器の誤操作を防止できる。
【発明を実施するための最良の形態】
【００１０】
以下、本発明の実施の形態について図面を参照して説明する。
図１は本発明にかかる電子機器としてのオーディオ再生装置の外観図、図２は図１のＡ−Ａ線に沿う一部の拡大断面図、図３は本実施の形態におけるスイッチ装置の平面図、図４は本実施の形態におけるスイッチ装置の構造を示す説明図、図５は本実施の形態におけるスイッチ装置の回路図、図６は本実施の形態におけるスイッチ装置の動作説明用のフローチャート、図７は本実施の形態におけるスイッチ装置の動作説明用のタイミングチャートである。
【００１１】
図１において、オーディオ再生装置１０はオーディオデータの記録に半導体メモリを用いたもので、外装を構成するハウジング１１を備えている。
このハウジング１１は右手または左手の中に包み込み状態で把持できる大きさに小型化され、左右幅と、この左右幅よりも大きな寸法の上下の高さと、この上下の高さよりも大きな寸法の前後の長さとを有し、細長形状に形成され、長手方向を有している。
そして、ハウジング１１は長手方向に沿って平面状に延在する（厳密には上方に凸の円弧面）端面領域１１Ａと、端面領域１１Ａに対向する箇所で凹状に円弧状に窪んで長手方向に延在する端面領域１１Ｂと、それら端面領域１１Ａ、１１Ｂの端部に連なり湾曲面状に延在する湾曲面領域１１Ｃとを有している。
そして、端面領域１１Ａは、手の親指及びその付け根と手首との間に相当する部分に当て付けられるように図られており、端面領域１１Ｂは、手の中指、人差し指及び小指が掛けられるように図られている。
また、端面領域１１Ａには例えば有機ＥＬや液晶表示装置からなる矩形板状の表示部１２が配置されており、表示部１２の表示面には、再生するデータ（コンテンツ）に関わる情報（例えば、曲名、アーティスト名、アルバム名、サンプリング周波数、音量など）、操作に関する情報（音量表示、音質表示、矢印、電池残量アイコンなど）が表示される。
なお、表示部１２が設けられているハウジング１１の端面領域１１Ａの表面形状は、表示部１２の表示面と平行に延在するほぼ平面形状となるように形成されている。
このようなハウジング１１内の手の親指と対向する箇所にはスイッチ装置１３が配置されている。
【００１２】
前記スイッチ装置１３は、操作部材１３１と、この操作部材１３１を押圧可能に支持するとともに前記押圧される方向を中心にして、例えば０度（＝３６０度）、９０度、１８０度及び２７０度の角度位置で外側方向へ傾斜動可能に支持する支持機構（請求項に記載した支持手段に相当する）１３２とを備えている。
前記操作部材１３１は、図１及び図２に示すように、支持機構１３２に押圧可能にかつ傾斜動可能に支持されハウジング１１の内側に配置されたステム１３１Ａと、このステム１３１Ａの先端に設けられた押圧片１３１Ｂを有している。
図４（Ａ）に示すように、ステム１３１Ａの下部は、プリント基板１７と、プリント基板１７上に被せられたカバー部材２０との間に形成された空間に配設されている。
ステム１３１Ａの下部寄りの箇所には、円板部２２が膨出形成され、円板部２２とカバー部材２０の上面との間にコイルスプリング２４が設けられ、コイルスプリング２４により操作部材１３１に対する押圧操作力または傾斜操作力を解除したときに操作部材１３１を中立姿勢（操作部材１３１が何れのスイッチも作動させない姿勢）に自動的に復帰できる構成になっており、支持機構１３２はこれらカバー部材２０、コイルスプリング２４などを含んで構成されている。
【００１３】
ステム１３１Ａの先端が臨むハウジング１１の箇所に開口１１Ｄが形成されている。そして、押圧片１３１Ｂは開口１１Ｄを塞ぐ大きさで、かつ親指の腹部が当接できる大きさに形成され、さらに、この押圧片１３１Ｂは、開口１１Ｄの周りのハウジング１１の表面形状に一致する弧状の表面を有している。言い換えると、開口１１Ｄが設けられたハウジング１１箇所の表面形状は湾曲面で形成され、押圧片１３１Ｂは、開口１１Ｄの周りのハウジング１１の表面形状に一致する湾曲面で形成されている。これにより、押圧片１３１Ｂをハウジングの一部として機能させるようにしている。
【００１４】
また、前記スイッチ装置１３は、図３、図４に示すように、１つの第１のスイッチ１３３と、４つの第２のスイッチ１３４Ａ〜１３４Ｄを備える。
前記第１のスイッチ１３３は、操作部材１３１が押圧操作されるごとに作動されるもので、例えばオーディオ再生装置のプレー／ストップ用スイッチを構成する。そして、この第１のスイッチ１３３は操作部材１３１が押圧操作された際に操作部材１３１が移動する側で操作部材１３１の中心に位置して配置される。
前記４つの第２のスイッチ１３４Ａ〜１３４Ｄは、前記押圧される方向を中心とする円周上に一定の間隔、例えば０度（＝３６０度）、９０度、１８０度及び２７０度の角度位置に対応する箇所にそれぞれ配置され、これらの各角度位置で操作部材１３１が選択的に傾斜操作されたときに円板部２２により作動されるものである。
例えば、０度（＝３６０度）の角度位置に対応する箇所に配置された第２のスイッチ１３４Ａは、オーディオ再生装置の早戻し（曲戻し）用のスイッチとして機能し、１８０度の角度位置に対応する箇所に配置された第２のスイッチ１３４Ｃは、オーディオ再生装置の早送り（曲送り）用のスイッチとして機能し、また、９０度の角度位置に対応する箇所に配置された第２のスイッチ１３４Ｂは、オーディオ再生装置の音量を増大させる方向の信号を出力するスイッチとして機能し、２７０度の角度位置に対応する箇所に配置された第２のスイッチ１３４Ｄは、オーディオ再生装置の音量を減少させる方向の信号を出力するスイッチとして機能する。
【００１５】
次に、スイッチ装置１３の回路構成について図５を参照して説明する。
図５において、第２のスイッチ１３４Ａ〜１３４Ｄのそれぞれに対応した値の異なる電圧（アナログ信号）を取り出すための抵抗Ｒ１〜Ｒ４を備え、この抵抗Ｒ１〜Ｒ４は直列に接続されて直列回路を構成する。この直列回路の抵抗Ｒ１側端は電源端子Ｖａｄ（３．７Ｖ）に接続され、さらに、直列回路の抵抗Ｒ４側端は第２のスイッチ１３４Ａ〜１３４Ｄの作動状態を検知する作動端子ＭＴに接続されている。
また、第２のスイッチ１３４Ａは、抵抗Ｒ１とＲ２との接続点とグランド端子ＧＮＤ間に直列に接続され、第２のスイッチ１３４Ｂは、抵抗Ｒ２とＲ３との接続点とグランド端子ＧＮＤ間に直列に接続され、第２のスイッチ１３４Ｃは、抵抗Ｒ３とＲ４との接続点とグランド端子ＧＮＤ間に直列に接続され、さらに、第２のスイッチ１３４Ｄは、抵抗Ｒ４と作動端子ＭＴとの接続点とグランド端子ＧＮＤ間に直列に接続されている。
また、抵抗Ｒ１とＲ２との接続点には、第２のスイッチ１３４Ａ〜１３４Ｄに作動動作に応じた電圧（アナログ信号）取り出すための出力端子ＯＵＴが接続され、この出力端子ＯＵＴに出力される電圧（アナログ信号）は、スイッチ装置１３全体を制御し管理するＣＰＵ１５に取り込まれるようになっている。また、第１のスイッチ１３３の作動信号もＣＰＵ１５に取り込まれるようになっている。
【００１６】
前記ＣＰＵ１５は、第２のスイッチ１３４Ａ〜１３４Ｄが操作部材１３１の傾斜操作により選択的に作動されるごとに発生する電圧（アナログ信号）をディジタル信号に変換するＡ／Ｄ変換部（請求項に記載したＡ／Ｄ変換手段に相当する）１５１と、作動端子ＭＴに現われる信号を基に第２のスイッチ１３４Ａ〜１３４Ｄが作動されているか否かを検知する作動検知部（請求項に記載した作動検知手段に相当する）１５２と、第１のスイッチ１３３が作動されたときに発生する信号に応じた制御コマンド、すなわちオーディオ再生装置のプレー／ストップ及び第２のスイッチ１３４Ａ〜１３４Ｄが作動されたときに発生する信号に応じた制御コマンド、すなわちオーディオ再生装置の早戻し（曲戻し）、早送り（曲送り）、オーディオ再生装置の音量調整用の制御コマンドを出力する信号処理部（請求項に記載した信号処理手段に相当する）１５３と、作動検知部１５２が第２のスイッチ１３４Ａ〜１３４Ｄの作動を検知したときに第１のスイッチ１３３が作動されても該第１のスイッチ１３３の作動信号が無効となるように信号処理部１５３を制御する制御部（請求項に記載した制御手段に相当する）１５４とを備えている。
なお、図５において、記憶部１６１は前記オーディオデータが記録されたものであり、半導体メモリで構成されている。
また、再生部１６２は、記憶部１６１から前記オーディオデータを読み出して、オーディオ信号に変換増幅しスピーカーやヘッドホンなどに供給するものであり、信号処理部１５３から供給される前記制御コマンドに基づいて前記早戻し（曲戻し）、早送り（曲送り）、音量調整などを行うように構成されている。
また、表示部１２は、信号処理部１５３から供給される前記制御コマンドに基づいて前述した再生するデータ（コンテンツ）に関わる情報や操作に関する情報などを表示するように構成されている。
【００１７】
次に、本実施の形態の動作について説明する。
第１のスイッチ１３３が操作部材１３１の一回目の押圧操作により作動されると、この作動信号は信号処理部１５３に取り込まれる。信号処理部１５３では、オーディオ再生装置のプレー用の制御コマンドを送出し、オーディオ再生装置をプレー動作させる。また、第１のスイッチ１３３が操作部材１３１の二回目の押圧操作により作動されると、信号処理部１５３はオーディオ再生装置に対してストップ用の制御コマンドを送出して、オーディオ再生装置を停止させる。
【００１８】
オーディオ再生装置のプレー動作時において、第２のスイッチ１３４Ｂが操作部材１３１の傾斜操作により作動されると、その作動ごとに、図５に示す出力端子ＯＵＴに抵抗Ｒ１とＲ２との合成抵抗に応じた電圧が取り出され、この電圧はＡ／Ｄ変換部１５１でディジタル信号に変換された後、信号処理部１５３に取り込まれる。信号処理部１５３では、オーディオ再生装置の音量増大用の制御コマンドを送出し、これにより、例えばオーディオ再生装置のヘッドアンプを制御してヘッドホーンの音量を増大させる。
また、第２のスイッチ１３４Ｄが操作部材１３１の傾斜操作により作動されると、その作動ごとに、図５に示す出力端子ＯＵＴに抵抗Ｒ１〜Ｒ４の合成抵抗に応じた電圧が取り出され、この電圧はＡ／Ｄ変換部１５１でディジタル信号に変換された後、信号処理部１５３に取り込まれる。信号処理部１５３では、オーディオ再生装置の音量減少用の制御コマンドを送出し、これにより、オーディオ再生装置のヘッドアンプを制御してヘッドホーンの音量を減少させる。
【００１９】
次に、第２のスイッチ１３４Ｂまたは第２のスイッチ１３４Ｄが操作部材１３１の傾斜操作により作動されるとき、押圧片１３１Ｂに加えられる傾斜操作方向の力加減により、操作部材１３１が不用意に押圧され第１のスイッチ１３３が作動された場合について図６及び図７を参照して説明する。
この場合は、まず、制御部１５４が第１のスイッチ１３３が作動されているか否かを判定する（ステップＳ１）。ここで、第１のスイッチ１３３が作動された場合、図７（Ｂ）に示すように変化する波形の作動信号が出力される。したがって、第１のスイッチ１３３が作動されていると判定された場合は、さらに制御部１５４おいて、作動検知部１５２が第２のスイッチ１３４Ｂまたは１３４Ｄの作動を検知しているか否かを判定する（ステップＳ２）。ここで、第２のスイッチ１３４Ｂまたは１３４Ｄが作動されている時の作動端子ＭＴはグランド電位になるため、作動端子ＭＴからは図７（Ａ）に示すような波形の作動信号が出力され、この作動信号がローレベルになっている間、第１のスイッチ１３３からの作動信号に対して、これが出力されないように禁止する。
これにより、作動検知部１５２が第２のスイッチ１３４Ｂまたは１３４Ｄの作動を検知していると判定された時は、制御部１５４は信号処理部１５３対して第１のスイッチ１３３の作動信号が無効となるように制御する（ステップＳ３）。
また、ステップＳ１において、第１のスイッチ１３３が作動されていないと判定された時は最初に戻る。
また、ステップＳ２において、作動検知部１５２が第２のスイッチ１３４Ｂまたは１３４Ｄの作動を検知していないと判定された時は、制御部１５４は信号処理部１５３に対して第１のスイッチ１３３の作動信号を有効とする処理を実行し（ステップＳ４）、終了する。
【００２０】
オーディオ再生装置のストップ時において、第２のスイッチ１３４Ａが操作部材１３１の傾斜操作により作動されると、その作動ごとに出力端子ＯＵＴに抵抗Ｒ１に応じた電圧が取り出され、この電圧はＡ／Ｄ変換部１５１でディジタル信号に変換された後、信号処理部１５３に取り込まれる。信号処理部１５３では、オーディオ再生装置の早戻し（曲戻し）用の制御コマンドを送出し、これにより、オーディオ再生装置を早戻し（または曲戻し）制御する。
また、第２のスイッチ１３４Ｃが操作部材１３１の傾斜操作により作動されると、その作動ごとに出力端子ＯＵＴに抵抗Ｒ１〜Ｒ３の合成抵抗に応じた電圧が取り出され、この電圧はＡ／Ｄ変換部１５１でディジタル信号に変換された後、信号処理部１５３に取り込まれる。信号処理部１５３では、オーディオ再生装置の早送り（曲送り）用の制御コマンドを送出し、これにより、オーディオ再生装置を早送り（または曲送り）制御する。
【００２１】
次に、第２のスイッチ１３４Ａまたは第２のスイッチ１３４Ｃが操作部材１３１の傾斜操作により作動されるとき、押圧片１３１Ｂに加えられる傾斜操作方向の力加減により、操作部材１３１が不用意に押圧され第１のスイッチ１３３が作動された場合について説明する。
この場合も上記と同様に、まず、制御部１５４が第１のスイッチ１３３が作動されているか否かを判定する（ステップＳ１）。ここで、第１のスイッチ１３３が作動されていると判定された場合は、さらに制御部１５４おいて、作動検知部１５２が第２のスイッチ１３４Ａまたは１３４Ｃの作動を検知しているか否かを判定する（ステップＳ２）。ここで、作動検知部１５２が第２のスイッチ１３４Ａまたは１３４Ｃの作動を検知していると判定された時は、制御部１５４は信号処理部１５３対して第１のスイッチ１３３の作動信号が無効となるように制御する（ステップＳ３）。
また、ステップＳ１において、第１のスイッチ１３３が作動されていないと判定された時は最初に戻る。
また、ステップＳ２において、作動検知部１５２が第２のスイッチ１３４Ａまたは１３４Ｃの作動を検知していないと判定された時は、制御部１５４は信号処理部１５３に対して第１のスイッチ１３３の作動信号を有効とする処理を実行し（ステップＳ４）、終了する。
【００２２】
このような本実施の形態によれば、作動検知部１５２が第２のスイッチ１３４Ａ〜１３４Ｄの作動を検知すると制御部１５４が第１のスイッチ１３３の作動信号が無効になるように信号処理部１５３を制御する構成にしたので、操作部材１３１の傾斜操作により第２のスイッチ１３４Ａ〜１３４Ｄが作動されているときに第１スイッチ１３３が不用意に作動されても、その作動信号が出力されることがなく、スイッチ装置及びこれを用いた電子機器の誤操作を防止できる。しかも、このような処理をＣＰＵでのファームウェアにより構成したので、スイッチ装置に対する回路及び構造上の付加要素が不要となり、スイッチ装置を低コスト化することができる。
また、本実施の形態によれば、ステム１３１Ａの先端に設けた押圧片１３１Ｂをハウジング１１に設けた開口１１Ｄを塞ぐ大きさで、かつ親指の腹部が当接できる大きさに形成し、かつ、この押圧片１３１Ｂをハウジング１１の表面形状に一致する弧状の表面を有する形状にしたので、押圧片１３１Ｂをハウジングの一部として機能させることができるとともに、親指等の指先に対する押圧片１３１Ｂの接触面積を大きくでき、これにより、スイッチ装置の押圧操作及び傾斜操作が容易になる。
また、押圧片１３１Ｂをハウジング１１の表面形状に一致する弧状の表面を有する形状にしたので、押圧片１３１Ｂがあたかもハウジング１１の一部を構成する外観となり、ハウジング１１を含む電子機器の意匠性を向上できるほか、ハウジング１１を含む電子機器のデザインの自由度を向上できる。
また、本実施の形態のように、ハウジング１１の表面形状が、長手方向に沿って平面状に延在する（厳密には上方に凸の円弧面）端面領域１１Ａと、端面領域１１Ａに対向する箇所で凹状に円弧状に窪んで長手方向に延在する端面領域１１Ｂと、それら端面領域１１Ａ、１１Ｂの端部に連なり湾曲面状に延在する湾曲面領域１１Ｃとを有している場合、表示面の面積を大きく確保するには、端面領域１１Ａの大半を使用しなければならず、押圧片１３１Ｂを湾曲面領域１１Ｃに取り付けられなければならない。
特に、オーディオ再生装置の場合、コンテンツの情報を表示するための表示部を設けることは重要であるため、このようなデザインを強いられることも多い。
湾曲面領域１１Ｃにスイッチ装置１３を設置した場合、操作者はステム１３１Ａの角度を認識し辛いために、平面上にスイッチ装置１３を設置する場合に比較して、誤操作が生じやすい。
しかし、本実施の形態では、誤操作防止の制御手段を有していることから、このような湾曲面領域１１Ｃにスイッチ装置１３を設置することができるので、デザインの自由度を向上できる。
【００２３】
なお、本発明のスイッチ装置に組み込まれるスイッチの数は上記実施の形態に示す５個のものに限らず、４個以下のものあるいは６個以上のものであってもよい。
また、本発明のスイッチ装置が適用される電子機器は、半導体メモリを用いオーディオ再生装置に限定されないことは勿論である。
【図面の簡単な説明】
【００２４】
【図１】本発明にかかるオーディオ再生装置の外観図である。
【図２】図１のＡ−Ａ線に沿う拡大断面図である。
【図３】本実施の形態におけるスイッチ装置の平面図である。
【図４】本実施の形態におけるスイッチ装置の構造を示す説明図である。
【図５】本実施の形態におけるスイッチ装置の回路図である。
【図６】本実施の形態におけるスイッチ装置の動作説明用のフローチャートである。
【図７】本実施の形態におけるスイッチ装置の動作説明用のタイミングチャートである。
【符号の説明】
【００２５】
１０……オーディオ再生装置、１１……ハウジング、１１Ｄ……開口、１３……スイッチ装置、１３１……操作部材、１３１Ａ……ステム、１３１Ｂ……押圧片、１３２……支持機構、１３３……第１のスイッチ、１３４Ａ〜１３４Ｄ……第２のスイッチ、１５……ＣＰＵ、１５１……Ａ／Ｄ変換部、１５２……作動検知部、１５３……信号処理部、１５４……制御部。
【図１】
2007052577.tif 000003
【図２】
2007052577.tif 000004
【図３】
2007052577.tif 000005
【図４】
2007052577.tif 000006
【図５】
2007052577.tif 000007
【図６】
2007052577.tif 000008
【図７】
2007052577.tif 000009